(57)【要約】【課題】小型軽量化を図ることができる電気掃除機を提供すること。【解決手段】前端部に吸気口を有し後端下部に開口部を有するパイプ部と、旋回する気流にて塵埃を分離し集塵する円筒形のダストカップユニットと、電動送風機と、ハンドルと、バッテリーと、を有する掃除機本体を備え、前記ダストカップユニットは、前記開口部と対向する流入口を備え、前記掃除機本体の前方側であって前記パイプ部の下方に前記パイプ部と略平行に配置され、前記ダストカップユニットは前記掃除機本体に着脱可能に装着されるとともに、前記気流が、前記開口部から前記流入口を通って前記ダストカップユニット内に流入することを特徴とする電気掃除機【選択図】図６
2019069297.tif 000002
【特許請求の範囲】
【請求項１】
前端部に吸気口を有し後端下部に開口部を有するパイプ部と、旋回する気流にて塵埃を分離し集塵する円筒形のダストカップユニットと、電動送風機と、ハンドルと、バッテリーと、を有する掃除機本体を備え、
前記ダストカップユニットは、前記開口部と対向する流入口を備え、前記掃除機本体の前方側であって前記パイプ部の下方に前記パイプ部と略平行に配置され、
前記ダストカップユニットは前記掃除機本体に着脱可能に装着されるとともに、
前記気流が、前記開口部から前記流入口を通って前記ダストカップユニット内に流入することを特徴とする電気掃除機。
【請求項２】
前記電動送風機は、前記掃除機本体の後方側に配置され、
前記ダストカップユニットと前記電動送風機が前記ダストカップユニットの軸方向に略直線状に配置されるとともに、
前記気流が、前記ダストカップユニットから前記軸方向に排出され、前記電動送風機内に流入することを特徴とする請求項１記載の電気掃除機。
【請求項３】
前記電動送風機の上方に前記バッテリーを設けることを特徴とする請求項１または２に記載の電気掃除機。
【請求項４】
延長パイプと吸込口体とを備え、
前記延長パイプが前記吸気口に着脱可能であって、前記吸込口体が前記延長パイプに着脱可能に接続されることを特徴とする請求項１から３の何れか１項に記載の掃除機。
【請求項５】
前記掃除機本体の縦方向の長さより前記延長パイプが長いことを特徴とする請求項４に記載の掃除機。
【発明の詳細な説明】
【技術分野】
【０００１】
本発明は、電気掃除機に関する。
【背景技術】
【０００２】
従来の電気掃除機として、例えば、特許文献１および２には、次の構成を備える電気掃除機が開示されている。
掃除機本体の筐体内に電動送風機を横置きし、筐体内における電動送風機の前方に集塵室を配置し、筐体の前端部に設けた吸気口から集塵室へダストを含む空気を吸入し、集塵室を通過したダストを除去した空気を電動送風機を通して筐体の後端部に設けた排気口から外部に排気する。このような構成を備える従来の電気掃除機において、回路基板は、筐体内における電動送風機の上方スペースに配置されている。
【先行技術文献】
【特許文献】
【０００３】
【特許文献１】特開２０００−２７１０４５号公報
【特許文献２】特開２００１−２７５９０２号公報
【発明の概要】
【発明が解決しようとする課題】
【０００４】
電気掃除機に対するユーザーの一般的な要望としてはより一層の小型軽量化がある。そのため、電気掃除機のメーカーは、清掃能力を落とすことなく部品の小型軽量化およびレイアウト等によって掃除機本体を小型軽量化するという課題を恒常的に有している。特に、近年では、気軽に掃除できるバッテリーを備えたハンディタイプの電気掃除機が消費者に好まれる傾向があるため、ハンディタイプの電気掃除機の小型軽量化が強く望まれている。
【０００５】
本発明は、このような課題に鑑みなされたものであり、小型軽量化を図ることができる電気掃除機を提供することを目的とする。
【課題を解決するための手段】
【０００６】
かくして、本発明によれば、前端部に吸気口を有し後端下部に開口部を有するパイプ部と、旋回する気流にて塵埃を分離し集塵する円筒形のダストカップユニットと、電動送風機と、ハンドルと、バッテリーと、を有する掃除機本体を備え、前記ダストカップユニットは、前記開口部と対向する流入口を備え、前記掃除機本体の前方側であって前記パイプ部の下方に前記パイプ部と略平行に配置され、前記ダストカップユニットは前記掃除機本体に着脱可能に装着されるとともに、前記気流が、前記開口部から前記流入口を通って前記ダストカップユニット内に流入することを特徴とする電気掃除機が提供される。
【発明の効果】
【０００７】
本発明の電気掃除機によれば、パイプ部の下方にダストカップユニットをパイプ部と略平行に配置され、ダストカップユニットの流入口がパイプ部の下方に対向して配置されるので、掃除機本体の上下方向の高さが低くなり小型化が図れることができるとともに、掃除機本体を持って、ダストカップユニットを取り外す時には、流入口が上を向いているので、流入口から集塵された塵埃がこぼれることがない。
【図面の簡単な説明】
【０００８】
【図１】本発明の電気掃除機の実施形態１を示す右側面図である。
【図２】実施形態１の電気掃除機の平面図である。
【図３】実施形態１の電気掃除機の正面図である。
【図４】実施形態１の電気掃除機の背面図である。
【図５】実施形態１の電気掃除機におけるフィルターカバーを取り外した状態を示す斜視図である。
【図６】図２のI-I線断面矢視図である。
【図７】図２のII-II線断面矢視図である。
【図８】図２のIII-III線断面矢視図である。
【図９】実施形態１の電気掃除機におけるダストカップユニットの着脱機構を説明する分解斜視図である。
【図１０】実施形態１の電気掃除機の内部構造を説明する分解斜視図である。
【図１１】実施形態１における電動送風機と基板保持部材との位置関係を説明する要部断面図である。
【図１２】実施形態１における電動送風機と基板保持部材との位置関係を説明する斜視図である。
【図１３】実施形態１におけるダストカップユニットの分解図である。
【図１４】実施形態１におけるダストカップユニットの分解斜視図である。
【図１５】実施形態１におけるダストカップユニットを掃除機本体に装着する状態を示す説明図である。
【図１６】実施形態１におけるバッテリー装着部からバッテリーを取り外す状態を示す第１の説明図であって（Ａ）は要部右側面図、（Ｂ）は図２のI-I線断面矢視図対応図である。
【図１７】図１６に引き続く説明図であって（Ａ）は図２のII-II線断面矢視図対応図、（Ｂ）は図２のI-I線断面矢視図対応図である。
【図１８】実施形態１におけるバッテリー装着部にバッテリーを装着する状態を説明する図２のI-I線断面矢視図対応図である。
【図１９】実施形態１の電気掃除機の自立状態を示す左側面図である。
【図２０】実施形態１の電気掃除機の自立状態を示す左側断面図である。
【図２１】実施形態２の電気掃除機における基板保持部を示し（Ａ）は斜視図、（Ｂ）は断面図、（Ｃ）は背面図である。
【図２２】実施形態３の電気掃除機におけるダストカップユニットを取り外した掃除機本体を示す斜視図である。
【図２３】実施形態３の電気掃除機における掃除機本体に設けられた脱落防止爪の作用効果を説明する要部拡大断面図である。
【発明を実施するための形態】
【０００９】
（実施形態１）
図１は本発明の電気掃除機の実施形態１を示す右側面図であり、図２は実施形態１の電気掃除機の平面図であり、図３は実施形態１の電気掃除機の正面図であり、図４は実施形態１の電気掃除機の背面図である。また、図５は実施形態１の電気掃除機におけるフィルターカバーを取り外した状態を示す斜視図である。また、図６は図２のI-I線断面矢視図
であり、図７は図２のII-II線断面矢視図であり、図８は図２のIII-III線断面矢視図である。また、図９は実施形態１の電気掃除機におけるダストカップユニットの着脱機構を説明する分解斜視図であり、図１０は実施形態１の電気掃除機の内部構造を説明する分解斜視図である。
【００１０】
この電気掃除機１は、電動送風機４１を内蔵する掃除機本体１０と、掃除機本体１０に着脱可能に装着されるダストカップユニット２０およびバッテリー３０と、掃除機本体１０およびダストカップユニット２０にそれぞれ設けられた第１ロック機構５１および第２ロック機構５２とを備える。この電気掃除機１において、ダストカップユニット２０が取
り外された掃除機本体１０は略ピストル形である。
【００１１】
掃除機本体１０は、ダストカップユニット２０を保持する前後方向に長いダストカップ保持部１２と、バッテリー３０を着脱可能に装着するバッテリー装着部１３と、後部に設けられたハンドル１４と、ハンドル１４に設けられた複数のスイッチ１５ａ、１５ｂを有する操作部１５とを有し、これらダストカップ保持部１２、バッテリー装着部１３およびハンドル１４は筐体１１によって形成されている。なお、本明細書において、前後左右上下の方向とは、ハンドル１４を握って水平方向に構えた状態の電気掃除機１についての前後左右上下の方向を指す。
【００１２】
また、筐体１１内には、前記電動送風機４１、前記複数のスイッチ１５ａ、１５ｂ、回路基板４２、バッテリー３０の正負極端子と電気的に接触可能な端子部４３等が収納されている。
【００１３】
ダストカップ保持部１２は、その内部に気流を通過させる前後方向に延びるパイプ部１２ａと、パイプ部１２ａの後端部から下方に向けて設けられた垂直壁部１２ｂとを有してなる。また、パイプ部１２ａにおいて、その前端部には前方開口状の吸気口１２ａ1が設
けられると共に、後方下部には上方開口状の第１接続孔部１２ａ2が設けられている。
【００１４】
また、垂直壁部１２ｂには前方に開口する格子状の第２接続孔部１２ｂ1およびその周
囲に配置されたパッキン１２ｃが設けられると共に、筐体１１の下部には、室内の壁面に取り付けたフックに引っ掛けることができるＵ形のフック掛け部材１６が設けられている。なお、このフック掛け部材１６とハンドル１４に肩掛けベルト（図示省略）を通すことにより、ユーザーは肩掛けベルトを肩に掛けて電気掃除機１を使用することができる。
【００１５】
筐体１１の右側面には排気口１２ｂ2が設けられている。さらに詳しく説明すると、図
５に示すように、筐体１１の右側面の上半部は、右側第１カバー部材１１ａおよび右側第２カバー部材１１ｂによって構成されている。
【００１６】
右側第１カバー部材１１ａには、後述の操作レバー１３ｄ2を外部に露出させる長孔１
２ｂ3が形成されると共に、外部に排気するための格子状の内側排気口１２ｂ4が形成されている。
右側第２カバー部材１１ｂは、右側第１カバー部材１１ａの内側排気口１２ｂ4の周囲
部に嵌合する枠部と、枠部の開口の上下中間位置に設けられたリブとを有し、リブの上下の開口が外側排気口１１ｂ1とされている。
【００１７】
さらに、右側第１カバー部材１１ａの内側排気口１２ｂ4の内側および外側には第１フ
ィルター１８ａおよび第２フィルター１８ｂが設けられ、右側第２カバー部材１１ｂの外側排気口１１ｂ1の内側にはメッシュ部材１８ｃが設けられている。さらに、第１フィル
ター１８ａは第２フィルター１８ｂよりも圧力損失が大きく、第２フィルター１８ｂはメッシュ部材１８ｃよりも圧力損失が大きく設定されている。
【００１８】
第１フィルター１８ａは、例えば、発泡ウレタンといった発泡樹脂製シートからなり、厚さとしては５〜１０ｍｍ程度である。
第２フィルター１８ｂは、例えば、不織布、織物といった繊維シートからなり、厚さとしては３〜５ｍｍ程度である。
メッシュ部材１８ｃは、例えば、ステンレススチールといった金属製またはポリエステルといった樹脂製である。
なお、第１、第２フィルター１８ａ、１８ｂおよびメッシュ部材１８ｃの作用効果について、詳しくは後述する。
【００１９】
掃除機本体１０のダストカップ保持部１２のパイプ部１２ａの前端部には、ハンディタイプとして電気掃除機１を使用する場合のブラシ部材１７が折り畳み可能に取り付けられている。
また、図示しないが、この電気掃除機１は、付属品として、細長いノズル体、延長パイプ、吸込口体等を備えており、掃除する場所によってパイプ部１２ａの吸気口１２ａ1に
ノズル体あるいは延長パイプを介して吸込口体を差し込んで掃除することができる。
【００２０】
第１および第２ロック機構５１、５２は、掃除機本体１０のダストカップ保持部１２にダストカップユニット２０の高さ方向の一端部とその反対側の他端部の２箇所を着脱可能に固定する機能を有する。
【００２１】
図６と図９と図１６に示すように、第１ロック機構５１は、ダストカップ保持部１２の後端部の垂直壁部１２ｂの上部に設けられた第１係止凹部１１ｄ4と、ダストカップユニ
ット２０の後述するフィルターユニットＦに設けられて第１係止凹部１１ｄ4と係脱可能
に係止する第１係止爪２１ｃ1とを有してなる。
【００２２】
また、第２ロック機構５２は、ダストカップユニット２０の後述するダストカップ２１に設けられた第２係止凹部２１ｆ1と、ダストカップ保持部１２の前端部の下面に設けら
れて第２係止凹部２１ｆ1と係脱可能に係止する第２係止爪５２ａとを有してなる。
なお、第１および第２ロック機構５１、５２の構造について詳しくは後述する。
【００２３】
図１１は実施形態１における電動送風機と基板保持部材との位置関係を説明する要部断面図であり、図１２は実施形態１における電動送風機と基板保持部材との位置関係を説明する斜視図である。
図６と図１１に示すように、筐体１１の内部において、ダストカップ保持部１２の垂下壁部１２ｂの後方スペースには電動送風機４１および回路基板４２が設置されている。なお、図１１において、符号１２ｂ11は、第２接続孔部１２ｂ1と電動送風機４１の設置ス
ペースとを連通する吸気流路を示している。
また、筐体１１の内部において、電動送風機４１の上方かつダストカップ保持部１２のパイプ部１２ａの延長線上にバッテリー装着部１３が設けられている。なお、バッテリー装着部１３について詳しくは後述する。
【００２４】
図６、図８、図１１および図１２に示すように、電動送風機４１は、モータ４１ａと、モータ４１ａの出力軸に取り付けられたファン４１ｂと、モータ４１ａを収納し保持するモータハウジング４１ｃと、ファン４１ｂを覆うファンカバー４１ｄと、ファンカバー４１ｄとモータハウジング４１ｃとの間に設けられてファン４１ｂを収納するエアーガイド４１ｅとを有する。
【００２５】
この電動送風機４１において、モータハウジング４１ｃはエアーガイド４１ｅの半径方向の幅（半径ｒ1）よりも小さい幅（半径ｒ2）を有している。すなわち、電動送風機４１は、エアーガイド４１ｅがモータハウジング４１ｃよりも拡がったキノコ形に形成されており、エアーガイド４１ｅの外周部から後方（矢印Ｇ方向）の排気流路へエアーを噴出する。
【００２６】
また、回路基板４２は、エアーガイド４１ｅよりもモータ４１ａの軸心Ｐ側のモータハウジング４１ｃの外周スペースに設けられた基板保持部材４４に取り付けられている。
実施形態１の場合、基板保持部材４４は、エアーガイド４１ｅの円環状の外周部の曲率半径と略等しい曲率半径を有する湾曲底部４４ａと、湾曲底部４４ａの前後端部に連設された前後壁部４４ｂと、湾曲底部４４ａの凹曲底面に設けられたボス部４４ｃおよび凸部
４４ｄとを有する。
【００２７】
図６と図１１と図１２に示すように、電動送風機４１は、筐体１１内の前記吸気流路１２ｂ11の後方の設置スペースにクッション４５を介して横向きに設置されている。また、電動送風機４１の設置スペースにおいて、電動送風機４１のエアーガイド４１ｅよりもモータ４１ａの軸心Ｐ側のモータハウジング４１ｃの外周スペースは基板保持部材４４および回路基板４２の設置スペースとなっている。
【００２８】
実施形態１の場合、モータハウジング４１ｃの外周スペースにおける下部が基板保持部材４４および回路基板４２の設置スペースとなっており、その設置スペースに設置された基板保持部材４４は後壁部４４ｂがビスにて筐体１１に固定されている。
また、回路基板４２は、筐体１１に固定された基板保持部材４４の上方開口部を塞ぐように設置され、回路基板４２の孔部に凸部４４ｄが挿入された状態でビスにてボス部４４ｃに固定されている。そして、回路基板４２は、モータ４１ａの複数の端子部と複数のリード線４６を介して電気的に接続されている。
【００２９】
このように、本発明の電気掃除機１によれば、モータハウジング４１ｃの外周スペースが回路基板４２およびこれを保持する基板保持部４４の設置スペースとして有効利用することができるため、回路基板４２専用の設置スペースを設ける必要がない。これにより、筐体１１をコンパクト化および軽量化することができ、電気掃除機１全体の小型軽量化に繋がる。
【００３０】
＜ダストカップユニット、第１および第２ロック機構＞
図１３は実施形態１におけるダストカップユニットの分解図であり、図１４は実施形態１におけるダストカップユニットの分解斜視図である。
ダストカップユニット２０は、前記フィルターユニットＦと、フィルターユニットＦを着脱可能に装着する開口部を有する前記ダストカップ２１とを備える。
さらに、フィルターユニットＦは、第１フィルター部２２と、第２フィルター部２３と、カップカバー２４とを有してなる。
【００３１】
ダストカップ２１は、底壁２１ａおよび周囲壁２１ｂを有する円筒形に形成され、その軸心方向一端側に開口部２１ｃを有し、周囲壁における開口部２１ｃの近傍に流入口２１ｄおよび第１係止部材２１ｅが設けられている。さらに、ダストカップ２１は、周囲壁２１ｂにおける流入口２１ｄと同じ側に前記第２ロック機構５２の第２係止凹部２１ｆ1を有している。
【００３２】
第１フィルター部２２は、ダストカップ２１の開口部２１ｃと気密に嵌合しかつ第２フィルター部２３のフィルター本体２３ａを気密に収容する上部カップ部２２ａと、上部カップ部２２ａの中心孔２２ａ1と連通連結する筒状のメッシュフィルター２２ｂと、メッシュフィルター２２ｂの外周に設けられた内筒体２２ｃと、内筒体２２ｃの下端に連結しかつダストカップ２１の底面に当接する円筒状支持部２２ｄとを有する。
【００３３】
第２フィルター部２３は、中心孔を有するプリーツ状のフィルターを有する前記フィルター本体２３ａと、フィルター本体２３ａを除塵する除塵機構２３ｂとを有する。実施形態１の場合、フィルター本体２３ａとして高集塵フィルターが用いられている。また、フィルター本体２３ａの外周面には、上部カップ部２２ａと気密性を保つためにパッキンが設けられている。
【００３４】
除塵機構２３ｂは、フィルター本体２３ａの中心孔に挿入された軸部２３ｂ1と、フィ
ルター本体２３ａの外周部に設けられた環状部２３ｂ2と、軸部２３ｂ1と環状部２３ｂ2
とを連結する放射状に設けられた複数の連結部２３ｂ3と、各連結部２３ｂ3に設けられた複数の当接部２３ｂ4とを有する。
また、フィルター本体２３ａの下部には、軸部２３ｂ1の下端と連結した塵埃落しユニ
ット２３ｃが設けられている。
【００３５】
各連結部２３ｂ3にはリブ２３ｂ31が設けられており、リブ２３ｂ31を手動で回すこと
によりフィルター本体２３ａの各山襞に各当接部２３ｂ4が衝突してフィルター本体２３
ａが振動し、それによってフィルター本体２３ａに付着した塵埃が第１フィルター部２２の上部カップ部２２ａ内に落下する。また、リブ２３ｂ31を手動で回すことによって塵挨落しユニット２３ｃが回り、塵挨落しユニット２３ｃに取り付けられたブレード２３ｃ1
が回転しながら上部カップ部２２ａ内に落下した塵埃を内筒体２２ｃの内部へ移動させる。
【００３６】
実施形態１の場合、当接部２３ｂ4は、フィルター本体２３ａに当接する図示しない弾
丸形状の当接部材と、当接部材をフィルター本体２３ａ側に付勢する図示しない圧縮コイルバネと、当接部材および圧縮コイルバネを保持しかつ連結部２３ｂ3に連結するホルダ
部２３ｂ21とを有する。
【００３７】
第２フィルター部２３を第１フィルター部２２の上部カップ部２２ａ内に収容し、かつ上部カップ部２２ａをダストカップ２１の開口部２１ｃに嵌め込んだ後、第２フィルター部２３を覆うように円筒状のカップカバー２４をフィルター本体２３ａの外周面を介して嵌め込む。なお、上部カップ部２２ａにフィルター部２３が収納されていない場合、カップカバー２４が最後まで嵌め込めないように上部カップ部２２ａには忘れ防止機構２２ｆが設けられている。忘れ防止機構２２ｆは、第１フィルター部２２に第２フィルター部２３が装着されていない場合、忘れ防止機構２２ｆがカップカバー２４の一部に引っ掛かる位置に移動することで、カップカバー２４が第１フィルター部２２に最後まで装着できないようになることで忘れ防止機構として機能する。
【００３８】
このカップカバー２４は、除塵機構２３ｂを回す際にユーザーの手が差し入れられるよう円形の窓部２４ａが設けられている。また、カップカバー２４の外周面には、相互に係合した第２係止部材２４ｄおよび忘れ防止機構２２ｆを収納する囲い部２４ｂが設けられている。また、囲い部２４ｂの反対側には、第１ロック機構５１を構成する係止部材２４ｃが設けられている。この係止部材２４ｃは、掃除機本体１０の前記第１係止凹部１１ｄ4と係脱可能に係合する前記第１係止爪２４ｃ1を有する。また、カップカバー２４の外周面には前記第１係止部材２１ｅの係合爪２１ｃ1と係合する係合凹部２４ｅが設けられて
いる。
【００３９】
図６および図７に示すように、第１係止爪２４ｃ1は、ユーザーの指を引っ掛ける凹み
を有するボタン形の前記係止部材２４ｃに一体成形されている。また、ダストカップユニット２０のカップカバー２４の外周面には、係止部材２４ｃを前後方向にスライド可能に保持する突起部２４ｃ2が設けられている。さらに、突起部２４ｃ2と係止部材２４ｃとの間には第１係止爪２４ｃ1をカップカバー２４よりも後方へ突出させるよう弾発的に付勢する圧縮コイルバネ２４ｃ3が設けられている。
【００４０】
第２係止爪５２ａは長方形の枠部材５２Ａに一体成形されている。一方、掃除機本体１０のパイプ部１２ａの先端下部には枠部材５２Ａを前後方向スライド可能に収納する収納凹部５２Ｂが設けられると共に、収納凹部５２Ｂの内部に突起部５２ｂ1が設けられている。さらに、収納凹部５２Ｂ内における突起部５２ｂ1と枠部材５２Ａとの間に配置されて第２係止爪５２ａを後方へ弾発的に付勢する圧縮コイルバネ５２ｃが設けられると共に、枠部材５２Ａおよび圧縮コイルバネ５２ｃが収納凹部５２Ｂ内から抜け出ないようにする押さえカバー５２ｄが設けられている。
【００４１】
図１５は実施形態１におけるダストカップユニットを掃除機本体に装着する状態を示す第１の説明図である。
ダストカップユニット２０を掃除機本体１０に装着する際は、図１５に示すように、第２係止凹部２１ｆ1を第２係止爪５２ａの方へ向けた状態で、かつカップカバー２４の端
面を垂直壁部１２ｂに沿わせるようにしながらダストカップユニット２０をパイプ部１２ａの方へ移動させていく。
【００４２】
すると、第１ロック機構５１の第１係止爪２４ｃ1が掃除機本体１０の筐体１１の角部
に当接する。このとき、第１係止爪２４ｃ1の傾斜面が筐体１１の角部に摺接することに
より第１係止爪２４ｃ1が引っ込む。
ダストカップユニット２０をパイプ部１２ａの方へさらに移動させていくと、第１係止爪２４ｃ1が垂直壁部１２ｂの段差部に当接すると共に、ダストカップ２１の第２係止凹
部２１ｆ1の開口端部が第２係止爪５２ａの丸みを有する傾斜面に当接する。そして、第
１係止爪２４ｃ1は段差部を乗り越え、第２係止爪５２ａはダストカップ２１の開口端部
に摺接し引っ込みながら乗り越えていき、図６に示すように、最終的に第１係止爪２４ｃ1は第１係止凹部１１ｄ4に係止し、第２係止爪５２ａは第２係止凹部２１ｆ1に係止する
。
【００４３】
このとき、第１係止爪２４ｃ1の第１係止凹部１１ｄ4への係止および第２係止爪５２ａの第２係止凹部２１ｆ1への係止、すなわち、第１および第２ロック機構５１、５２のロ
ックはほぼ同時に完了する。なお、第１および第２ロック機構５１、５２のどちらかが先にロックして、その後もう片方がロックしてもよい。ロック完了は「カチッ」という係止音によって確認できるため、ユーザーは操作感を得ることができる。また、この時点でユーザーがダストカップユニット２０を手放しても落下することはない。なお、ダストカップユニット２０が掃除機本体１０に装着されることにより、掃除機本体１０の第１接続孔部１２ａ2とダストカップユニット２０の流入口２１ｄとがパッキンを介して気密に接続すると共に、ダストカップユニット２０のカップカバー２４の窓部２４ａと掃除機本体１０の第２接続孔部１２ｂ1とがパッキンを介して気密に接続する。
【００４４】
なお、掃除機本体１０のダストカップ保持部１２におけるパイプ部１２ａと垂直壁部１２ｂとの間には、ダストカップユニット２０のフィルターユニットＦのカップカバー２４の外周面を支持する左右の凹曲面部１２ａ3が設けられると共に、左右の凹曲面部１２ａ3の間にカップカバー２４の第２係止部材２４ｄおよび囲い部２４ｂといった突起部分を収容する凹部１２ａ4が設けられている（図９参照）。そのため、ダストカップユニット２０を掃除機本体１０に装着する際、左右の凹曲面部１２ａ3によってダストカップユニット２０がダストカップ保持部１２に正しい姿勢で装着されるよう誘導される。
【００４５】
本発明の電気掃除機１は、前記の装着方法以外でもダストカップユニット２０を掃除機本体１０に確実に装着することができる。すなわち、カップカバー２４の端面が垂直壁部１２ｂから少し離れ、ダストカップユニット２０がパイプ部１２ａに対して斜めになった状態（第２係止爪５２ａを第２係止凹部２１ｆ1に近づけた状態）でダストカップユニッ
ト２０を掃除機本体１０に装着していくと、先に第２係止爪５２ａが第２係止凹部２１ｆ1に係止する。その後、第２係止凹部２１ｆ1を中心にダストカップユニット２０を回動させていくことにより第１係止爪２４ｃ1が第１係止凹部１１ｄ4に係止する。このようにしても、ダストカップユニット２０を掃除機本体１０へ確実に装着することができる。
【００４６】
したがって、本発明の電気掃除機１によれば、ダストカップユニットの高さ方向の一端部の凹部に掃除機本体のフックを引っ掛け、ダストカップユニットの高さ方向の他端部の
みを掃除機本体にロック機構で固定する装着構造に比べて、装着不良が生じ難くなり、装着不良によるダストカップユニットの掃除機本体からの脱落を防止することができる。
【００４７】
また、収納凹部５２Ｂを構成する左右のリブ５２ｂ2によって枠部材５２Ａの左右方向
への移動が規制される。さらに、第２係止爪５２ａが第２係止凹部２１ｆ1に係止した状
態では、第２係止凹部２１ｆ1の左右内面に設けられた凸部２１ｆ2（図９参照）によって第２係止爪５２ａの左右方向への移動が規制される。これにより、ダストカップユニット２０の掃除機本体１０に対するがたつきおよび外れが防止される。
【００４８】
なお、取り外しの際は、第１ロック機構５１を操作して第１係止爪２４ｃ1を係止凹部
１１ｄ4から離脱させた状態とする、あるいは第２ロック機構５２を操作して第２係止爪
５２ａを第２係止凹部２１ｆ1から離脱させた状態とすることにより、ダストカップユニ
ット２０を掃除機本体１０から取り外すことができる。
【００４９】
＜バッテリーおよびバッテリー装着部＞
図６、図７、図９および図１０に示すように、バッテリー装着部１３は、バッテリー３０を収めるバッテリー収納凹部１３ａと、このバッテリー収納凹部１３ａに開閉可能に設けられたバッテリーカバー１３ｂと、バッテリー収納凹部１３ａの奥部に設けられてバッテリー３０の正負極端子と電気的に接触可能な前記端子部４３とを有する。
【００５０】
バッテリー収納凹部１３ａは、ダストカップ保持部１２の後端に連設された傾斜板部１３ａ1と、傾斜板部１３ａ1の左右端部に連設された左右壁部１３ａ2とを有する。
また、左右壁部１３ａ2の内面には、バッテリー３０の左右側面に設けられた突条部３
０ａを前後方向にスライド可能にガイドするガイド溝１３ａ21が形成されている。
【００５１】
傾斜板部１３ａ1は、バッテリー収納凹部１３ａに収納されたバッテリー３０が前方へ
向かって下傾するようにダストカップ保持部１２の延長線に対して少し（例えば１０°程度）傾斜している。また、傾斜板部１３ａ1の前部には傾斜板部１３ａ1よりも下方の筐体１１内に設けられた端子部４３をバッテリー収納凹部１３ａ内に露出させるための開口部１３ａ11が形成されると共に、傾斜板部１３ａ1の後部には後述するストッパ凸部１３ｅ1を通してバッテリー収納凹部１３ａ内に突出させるための孔部１３ａ12が形成されている。
【００５２】
また、傾斜板部１３ａ1とダストカップ保持部１２との間には、バッテリーカバー１３
ｂの左右方向の軸部１３ｂ3を受ける複数の軸受部１３ａ3が連設されている。さらに、複数の軸受部１３ａ3の前方には支持部材１３ｃがバッテリー装着部１３の一構成要素とし
て設けられる。
【００５３】
支持部材１３ｃは、倒立Ｌ形部１３ｃ1と、倒立Ｌ形部１３ｃ1の前方に設けられた左右一対の軸受部１３ｃ2と、倒立Ｌ形部１３ｃ1の上面に設けられた傾斜面部１３ｃ3とを有
する。支持部材１３ｃにおいて、倒立Ｌ形部１３ｃ1は複数の軸受部１３ａ3の前方に配置され、左右一対の軸受部１３ｃ2は複数の軸受部１３ａ3の間に配置される。なお、支持部材１３ｃの各軸受部１３ｃ2の上端には返し部が設けられており、各返し部によってバッ
テリーカバー１３ｂの軸部１３ｂ3が各軸受部１３ａ3、１３ｃ2から抜け出ないようにし
ている。なお、バッテリーカバー１３ｂが開いた状態のときに電気掃除機１を落下させた場合にバッテリーカバー１３ｂの軸部１３ｂ3が各軸受部１３ａ3、１３ｃ2から外れるよ
うにしてもよく、これにより落下時にかかるバッテリーカバー１３ｂへの衝撃力を軽減して割れを抑制する効果が期待できる。
【００５４】
バッテリーカバー１３ｂは、第１カバー部１３ｂ1と、第２カバー部１３ｂ2と、摺動凸
部１３ｂ4と、圧縮コイルバネ１３ｂ5とを有する。
第１カバー部１３ｂ1は、バッテリー収納凹部１３ａの左右壁部１３ａ2の円弧形の上端部に沿った円弧形状であり、複数のリブおよび摺動凸部１３ｂ4を挿入する挿入孔１３ｂ111を有する中間部１３ｂ11と、中間部１３ｂ11の左右端部に連設された左右部１３ｂ12とを有する。
【００５５】
第２カバー部１３ｂ2は、第１カバー部１３ｂ1の中間部１３ｂ11を覆う部材である。第１カバー部１３ｂ1の挿入孔１３ｂ111に摺動凸部１３ｂ4および圧縮コイルバネ１３ｂ5を挿入した後、第２カバー部１３ｂ2にて第１カバー部１３ｂ1の中間部１３ｂ11を覆うことにより、圧縮コイルバネ１３ｂ5の上端部が第２カバー部１３ｂ2の内面に当接し、かつ圧縮コイルバネ１３ｂ5の下端部が摺動凸部１３ｂ4を下方に弾発的に付勢する。なお、挿入孔１３ｂ111内には段付き部が形成されているため、摺動凸部１３ｂ4の段部が段付き部に当接することにより摺動凸部１３ｂ4が挿入孔１３ｂ111内から抜け出ないようになっている。
【００５６】
バッテリーカバー１３ｂは、その開動作によってバッテリー収納凹部１３ａ内のバッテリー３０に当接して正負極端子が端子部４３から離間する方向にスライド移動させる押し出し当接部１３ｂ121を有すると共に、その閉動作によってバッテリー収納凹部１３ａの
バッテリー３０に当接して正負極端子が端子部４３に接近する方向にスライド移動させる押し込み当接部１３ｂ112を有している。
【００５７】
詳しく説明すると、押し出し当接部１３ｂ121は、第１カバー部１３ｂ1の左右部１３ｂ12の前方下部に下方突出状に連設された爪状部分である。また、押し込み当接部１３ｂ112は、第１カバー部１３ｂ1の中間部１３ｂ11の後方下部に下方突出状に連設された凹凸形状を有するふたこぶ状部分である。
【００５８】
次に、バッテリーカバー１３ｂの開閉機構について説明する。
図１６は実施形態１におけるバッテリー装着部からバッテリーを取り外す状態を示す第１の説明図であって（Ａ）は要部右側面図、（Ｂ）は図２のI-I線断面矢視図対応図であ
る。また、図１７は図１６に引き続く説明図であって（Ａ）は図２のII-II線断面矢視図
対応図、（Ｂ）は図２のI-I線断面矢視図対応図である。
【００５９】
図６、図１０および図１６（Ａ）、（Ｂ）に示すように、バッテリーカバー１３ｂの第１カバー部１３ｂ1の中間部１３ｂ11には、押し込み当接部１３ｂ112よりも後方下部にＬ形リブ１３ｂ113が設けられており、そのＬ形リブ１３ｂ113に貫通孔１３ｂ114が形成さ
れている。この貫通孔１３ｂ114には、後述する係止部材１３ｄ1が係脱可能に係止する。
【００６０】
前記係止部材１３ｄ1は、筐体１１内におけるバッテリー収納凹部１３ａの下のスペー
スに前後方向スライド可能に設けられた枠形の部材である。この係止部材１３ｄ1は、前
後方向にスライド操作されるために、その右側に連結部を介して操作レバー１３ｄ2が一
体成形されている。また、バッテリー収納凹部１３ａの傾斜板部１３ａ1の後端部には前
記Ｌ形リブ１３ｂ113を受けるＵ形リブ１３ａ13が設けられると共に、傾斜板部１３ａ1の後端部とＵ形リブ１３ａ13との間には係止部材１３ｄ1を前後方向に挿通させる挿通孔１
３ａ131が形成されている。
【００６１】
係止部材１３ｄ1を筐体１１内に組み付けることにより、操作レバー１３ｄ2はバッテリー収納凹部１３ａと筐体１１の右側壁との間に配置されるため、筐体１１の右側壁における排気口１２ｂ2の上方には操作レバー１３ｄ2を外部に露出させるための長孔１２ｂ3が形成されている。また、筐体１１内に組み付けられた係止部材１３ｄ1は、圧縮コイルバネ１３ｄ3によって後方へ弾発的に付勢される。
【００６２】
凸形の前記ストッパ凸部１３ｅ1は、係止部材１３ｄ1の枠形内に圧縮コイルバネ１３ｅ2と共に組み付けられ、圧縮コイルバネ１３ｅ2によって上方へ弾発的に付勢される。これにより、ストッパ凸部１３ｅ1は、バッテリー収納凹部１３ａの傾斜板部１３ａ1の孔部１３ａ12を挿通して傾斜板部１３ａ1の上面よりも上方へ突出する。これにより、バッテリー収納凹部１３ａ内のバッテリー３０の後端部がストッパ凸部１３ｅ1に当接するため、ユーザーが意図しないときのバッテリー３０の後方への移動が規制される。なお、ストッパ凸部１３ｅ1の段部が傾斜板部１３ａ1の孔部１３ａ12の周囲部に当接するため、ストッパ凸部１３ｅ1は孔部１３ａ12から上方へ抜け出ることはない。
【００６３】
図１、図６および図７は、本発明の電気掃除機１のバッテリー装着状態を示している。このとき、バッテリー３０は電池装着部１３内の複数の端子部４３まで押し込まれ、バッテリー３０の正負極端子が各端子部４３と電気的に接続されている。また、バッテリーカバー１３ｂは、後方に付勢された係止部材１３ｄ1がバッテリーカバー１３ｂのＬ形リブ
１３ｂ113の貫通孔１３ｂ114に嵌り込むことによって閉状態が維持されている。また、バッテリーカバー１３ｂの左右一対の押し出し当接部１３ｂ121はバッテリー３０の左右の突条部３０ａから離間している。
【００６４】
バッテリー３０を取り外す際は、図１６（Ａ）および（Ｂ）に示すように、ユーザーが指で操作レバー１３ｄ2を前方へスライドさせることにより、圧縮コイルバネ１３ｄ3の付勢力に抗して係止部材１３ｄ1が前方へ移動する。これにより、係止部材１３ｄ1がバッテリーカバー１３ｂのＬ形リブ１３ｂ113の貫通孔１３ｂ114から離脱する。そして、バッテリーカバー１３ｂを上方へ付勢する圧縮コイルバネ１３ｂ5の付勢力によって、バッテリ
ーカバー１３ｂが軸部１３ｂ3を中心として上方（矢印Ａ方向）へ自動的に回動して開く
。なお、操作レバー１３ｄ2を離すと圧縮コイルバネ１３ｄ3の付勢力によって係止部材１３ｄ1は後方へ移動する（図１８参照）。
【００６５】
また、バッテリーカバー１３ｂの矢印Ａ方向への回動時に、摺動凸部１３ｂ4が支持部
材１３ｃの傾斜面部１３ｃ3上を摺動する。このとき、摺動凸部１３ｂ4が傾斜面部１３ｃ3上を滑らかに摺動できるよう、摺動凸部１３ｂ4の先端は凸曲面を有する形状に形成されている。
【００６６】
図１６（Ａ）および（Ｂ）では、圧縮コイルバネ１３ｂ5によるバッテリーカバー１３
ｂの開状態の第１ステップを示している。バッテリー３０を取り外すには、図１７（Ａ）および（Ｂ）に示すように、ユーザーによってバッテリーカバー１３ｂがさらに大きく開かれる（第２ステップ）。この第２ステップでは、次の作用によりバッテリー３０の取り外しの補助が自動的に行われる。
【００６７】
先ず、バッテリーカバー１３ｂの矢印Ａ方向の回動に伴って左右一対の押し出し当接部１３ｂ121が回動してバッテリー３０の左右の突条部３０ａの前端に当接する。そして、
図１７（Ａ）に示すように、左右一対の押し出し当接部１３ｂ121がさらに回動すると、
左右一対の押し出し当接部１３ｂ121がてこの原理によってバッテリー３０の左右の突条
部３０ａを強い力で後方へ押しやる。このとき、図１７（Ｂ）に示すように、ストッパ凸部１３ｅ1付近までバッテリー３０が後方へ移動して正負極端子が各端子部４３から離脱
する。
【００６８】
図１７（Ａ）および（Ｂ）に示す状態では、バッテリー３０の左右の突条部３０ａは未だ完全に左右のガイド溝１３ａ21から抜け出ておらず、かつストッパ凸部１３ｅ1によっ
てバッテリー３０の後方への移動が規制されている。したがって、この状態のときに電気掃除機１のパイプ部１２ａを上に向けたとしてもバッテリー３０がバッテリー収納凹部１
３ａからずり落ちることはない。
【００６９】
バッテリーカバー１３ｂを限度一杯まで開いてもバッテリー３０の左右の突条部３０ａは完全に左右のガイド溝１３ａ21から抜け出ないため、その後はユーザーが指でバッテリー３０を掴んで後方へ引き抜く。このとき、バッテリー３０の後端部に傾斜面が設けられると共に、ストッパ凸部１３ｅ1の先端部は丸みを帯びているため、ストッパ凸部１３ｅ1の先端部をバッテリー３０の後端部が押すことによってストッパ凸部１３ｅ1が下方へ引っ込む。これにより、バッテリー３０の後方への移動規制が解除される。
【００７０】
また、図１７（Ａ）および（Ｂ）に示す状態では、バッテリー３０の正負極端子が既に各端子部４３から離脱し、かつバッテリー３０の左右の突条部３０ａも左右のガイド溝１３ａ21からある程度抜け出ているため、バッテリー３０を後方へ引き抜くのに必要な力は軽減されており、例えば、ユーザーが女性であっても軽い力で十分引き抜くことができる。
【００７１】
一方、バッテリー３０の掃除機本体１０への装着は、バッテリー３０を掃除機本体１０から引き抜く動作と逆の動作を行えばよい。このとき、ストッパ凸部１３ｅ1を通過する
程度にバッテリー３０をバッテリー収納凹部１３ａ内に押し込めばよく、バッテリー３０をバッテリー収納凹部１３ａの奥まで完全に押し込む必要はない（図１８参照）。また、バッテリー３０がストッパ凸部１３ｅ1を通過すると、ストッパ凸部１３ｅ1が飛び出して「カチッ」と音がするため、ユーザーはこの音を聞くことによって操作感を得ることができる。
【００７２】
図１８に示すように、バッテリーカバー１３ｂを矢印Ｂ方向に回動させて閉じていくと、バッテリーカバー１３ｂの押し込み当接部１３ｂ112がバッテリー３０の丸みを有する後端部に摺接しながらバッテリー３０を前方へ押し込んでいく。そして、バッテリーカバー１３ｂを完全に閉じることにより、押し込み当接部１３ｂ112によってバッテリー３０はバッテリー収納凹部１３ａの奥まで完全に押し込まれる。
【００７３】
これにより、バッテリー３０の正負極端子が各端子部４３に電気的に接触した状態となる。またこのとき、バッテリーカバー１３ｂの下降するＬ形リブ１３ｂ113が係止部材１
３ｄ1の傾斜面に摺接することによって係止部材１３ｄ1が引っ込み、その後貫通孔１３ｂ114に係止部材１３ｄ1が嵌り込んでロックすることによって、バッテリーカバー１３ｂの閉状態が維持される。
【００７４】
＜外観＞
このように構成された本発明の電気掃除機１は、図１と図２に示すように、前後方向に延びるダストカップ保持部１２のパイプ部１２ａの延長線上にバッテリー装着部１３のバッテリーカバー１３ｂが配置されたことにより、バッテリーカバー１３ｂがパイプ部１２ａの一部を構成しているような一体的な外観を呈している。しかも、バッテリーカバー１３ｂによってバッテリー３０が外部に露出しないため意匠的に洗練された印象を与えることができる。また、本体の上側にバッテリーカバー１３ｂを配置しているため、バッテリー３０を交換する場合、本体の上側にあるバッテリーカバー１３ｂが常に見えている位置にあり、このバッテリーカバー１３ｂを開くことになるので、バッテリーカバー１３ｂが底面側にある場合に比べて、ユーザーが認識し易くなってバッテリー交換が容易となる。
【００７５】
図１９は実施形態１の電気掃除機の自立状態を示す左側面図であり、図２０は実施形態１の電気掃除機の自立状態を示す左側断面図である。
本発明の電気掃除機１は、前述のように、掃除機本体１０の筐体１１の吸気口１２ａ1
（図６参照）に接続される延長パイプ６１と、延長パイプ６１に揺動可能に接続される吸
込口体６２とを備えている。なお、吸込口体６２は、吸込口本体６２ａと、延長パイプ６１と接続される接続部６２ｂと、吸込口本体６２ａに対して接続部６２ｂを約９０°の範囲で揺動させることができる関節部６２ｃとを有している。
【００７６】
本発明の電気掃除機１は、掃除機本体１０に延長パイプ６１を介して吸込口体６２を取り付けて床面Ｑを掃除している最中に、ユーザーが一時的に掃除する場所から離れなければならなくなるといった状況では、図１９に示すように、電気掃除機１を自立させておくことができる。
【００７７】
詳しく説明すると、図２０に示すように、床面Ｑ上に吸込口体６２を接地させ、かつ延長パイプ６１を床面Ｑに対して立てた状態において、バッテリー３０が延長パイプ６１の延長線上に配置されると共に、バッテリー３０よりも軽い電動送風機４１がバッテリー３０の後方に配置されることにより、換言すると、自立状態の電気掃除機１の重心点Ｋを通る垂直線Ｌの前後にバッテリー３０と電動送風機４１が配置されることにより、自立状態の電気掃除機１は後述する回転止めの位置Ｚ2よりも若干前方位置に重心バランスが取られる。この重量バランスが、電気掃除機１の自立に有効となっている。
【００７８】
さらに詳しく説明すると、図６に示すように、延長パイプ６１の略延長線上にバッテリー３０が配置されている。バッテリー３０が上側に配置されることで、バッテリー３０が下側に配置される場合に比べると、自立状態の電気掃除機１の重心点Ｋが延長パイプ６１の延長線側に寄ることになる。このとき、図２０に示すように、吸込口体６２の吸込口本体６２ａと関節部６２ｃとの間には回転止め機構が設けられており、この回転止め機構によって接続部６２ｂは前記回転止めの位置Ｚ2まで起き上がる。これにより、電気掃除機１の自立状態では、ハンドル１４の中心点Ｚ1と回転止めの位置Ｚ2とを結ぶ線Ｚは９０°よりも僅かに小さい所定角度αで前方へ傾斜し、それによって延長パイプ６１が垂直状態よりも吸込口本体６２ａ側に僅かに傾斜した自立状態で維持される。
【００７９】
また、図１９に示すように、電気掃除機１の自立状態において、ハンドル１４の中心点Ｚ1と回転止めの位置Ｚ2とを結ぶ線Ｚは重心点Ｋの近傍に配置される。これにより、図４に示すように、中心点Ｚ1を中心にしてハンドル１４を左右に回す際、重量感をあまり感
じずに回すことができる。すなわち、手首を軽くひねってハンドル１４を左右に回せば、吸込口体６２を左右にスムーズに振ることができる。なお、ハンドル１４の中心点Ｚ1は
、手でハンドル１４を持った状態の手の中心点とすることができる。
さらに、延長パイプ６１を外し、吸込口体６２にパイプ部１２ａを差し込んでハンディタイプとして電気掃除機１を使用する場合には、掃除機本体１０をひねって容易に掃除することができる。
【００８０】
＜電気掃除機の動作＞
この電気掃除機１を用いて室内の掃除を行う際には、操作部１５のスイッチ１５ａまたはスイッチ１５ｂをＯＮ操作して電動送風機４１を駆動させることにより、図６中の太線矢印に示すように、塵埃等のゴミを含む空気が掃除機本体１０のパイプ部１２ａの内部を通過してダストカップ２１内に流入する。ダストカップ２１内に流入した塵埃を含む空気はダストカップ２１内を旋回し、それによって大きなゴミは遠心分離されてダストカップ２１の底壁２１ａ側へ寄せられる。
【００８１】
図６と図１３に示すように、大きなゴミが取り除かれた空気において、第１フィルター部２２のメッシュフィルター２２ｂの網目よりも大きいゴミはダストカップ２１内に留まり、網目よりも小さなゴミ（主に塵埃）は空気と共に第２フィルター部２３へ向かう。そして、小さなゴミはフィルター本体２３ａにて捕捉され、ゴミをほぼ含まない空気がフィルター本体２３ａを通過して電動送風機４１内に流入し、図６と図８に示すように、電動
送風機４１を通過した気流は、フィルター部材の第１フィルター１８ａおよび第２フィルター１８ｂを通過し、メッシュ部材１８ｃを通過して排気口１２ｂ2から外部に排出され
る。なお、気流によって回路基板４２の放熱が促される。
【００８２】
このとき、圧力損失は第１フィルター１８ａ＞第２フィルター１８ｂ＞メッシュ部材１８ｃとなっているため、電動送風機４１から排気口１２ｂ2に至る間に排気風速を効果的に低下させることができる。これにより、排気口１２ｂ2からの排気風が直接ユーザーに当たって不快感を与えることがなくなる。つまり、従来のハンディタイプの電気掃除機では、複数の孔によって排気口が形成され、排気風速は排気口の開口面積に依存しており、ユーザーによっては排気口からの排気風が直接当たると不快感を示す場合があったが、本発明ではこのような不快感を与え難くしている。なお、メッシュ部材は排気口１２ｂ2からの排気風を整流する機能を有する。
【００８３】
（実施形態２）
図２１は実施形態２の電気掃除機における基板保持部を示し（Ａ）は斜視図、（Ｂ）は断面図、（Ｃ）は背面図である。
実施形態２の場合、基板保持部材１４４は、軸心Ｐ方向に平行でかつＬ形で相互に隣接する第１および第２基板保持板部１４４ａ、１４４ｂを有している。
また、回路基板は、第１基板保持板部１４４ａに取り付けられた第１回路基板１４２ａと、第２基板保持板部１４４ｂに取り付けられた第２回路基板１４２ｂとを含む。
【００８４】
さらに詳しく説明すると、基板保持部材１４４は、電動送風機４１のエアーガイド４１ｄの外周部後端に嵌合するリング部１４４ｃをさらに有しており、このリング部１４４ｃの後端部に第１および第２基板保持板部１４４ａ、１４４ｂが連設されている。なお、エアーガイド４１ｄは、第１および第２基板保持板部１４４ａ、１４４ｂが設けられていない部分から主に排気するようになっている。
【００８５】
このように構成された基板保持部材１４４によれば、電動送風機４１のモータハウジング４１ｃの外周スペースに第１および第２回路基板１４２ａ、１４２ｂを設置することができる。したがって、筐体１１内において、回路基板２枚分の専用設置スペースを削減することができるため、筐体１１をより一層小型軽量化することができ、それによって電気掃除機全体をより一層小型軽量化することができる。
【００８６】
（実施形態３）
図２２は実施形態３の電気掃除機におけるダストカップユニットを取り外した掃除機本体を示す斜視図であり、図２３は実施形態３の電気掃除機における掃除機本体に設けられた脱落防止爪の作用効果を説明する要部拡大断面図である。なお、図２２と図２３において、図６および図９中の要素と同様の要素には同一の符号を付している。
【００８７】
実施形態３の場合、掃除機本体１１０において、ダストカップ保持部１１２は、装着されたダストカップユニット２０の端部に引っ掛かってダストカップ保持部１１２からのダストカップユニット２０の脱落を防止する脱落防止爪１１２ａを有している。
【００８８】
詳しく説明すると、図２２および図２３に示すように、掃除機本体１１０において、ダストカップ保持部１１２の第２接続孔部１２ｂ1の開口周縁には、パッキン１２ｃの前方
に所定間隔の隙間をもって下方突出状の脱落防止爪１１２ａが設けられている。この脱落防止爪１１２ａはＬ形に形成された部材であり、第２接続孔部１２ｂ1の下部周縁にビス
止めされた基端部と、ダストカップユニット２０の窓部２４ａ（図１４参照）の開口周縁２４ａ1に引っ掛かるよう下方へ突出した先端爪部１１２ａ1とを有している。
【００８９】
掃除機本体１１０にダストカップユニット２０が装着された状態において、ダストカップユニット２０のカップカバー２４の窓部２４ａの開口周縁２４ａ1は、ダストカップ保
持部１１２のパッキン１２ｃと脱落防止爪１１２ａとの間の隙間に嵌り込んでいる。このとき、図６に示すように、ダストカップ保持部１１２とダストカップユニット２０とに設けられた第１および第２ロック機構５１、５２は完全なロック状態にある。
【００９０】
電気掃除機１の使用中、矢印Ｍ方向の力が筐体１１に加わると、筐体１１が矢印Ｎ方向に撓る。このような筐体１１の撓りは、第１ロック機構５１の第１係止爪２４ｃ1と第１
係止凹部１１ｄ4との係合を外そうとする（ロックを解除しようとする）ように作用する
。しかしながら、ダストカップ保持部１１２に脱落防止爪１１２ａを設けたことにより、筐体１１が矢印Ｎ方向に撓もうとしても脱落防止爪１１２ａによってダストカップユニット２０のカップカバー２４は矢印Ｎ方向への動きが規制されるため、第１係止爪２４ｃ1
と第１係止凹部１１ｄ4との係合が外れてダストカップユニット２０が脱落する心配はな
い。
【００９１】
（実施形態４）
実施形態１では、筐体１１の内部における電動送風機４１と排気口１２ｂ2との間の排
気流路に第１フィルター１８ａ、第２フィルター１８ｂおよびメッシュ部材１８ｃが設けられた場合を例示したが、第１フィルター１８ａと第２フィルター１８ｂの配置を逆にしてもよい。さらに、第１フィルター１８ａと第２フィルター１８ｂのいずれか一方を省略してもよい。
【００９２】
（実施形態５）
実施形態１ではハンディタイプとして使用可能な電気掃除機１を例示したが、本発明におけるダストカップユニット着脱機構は、キャニスター型、アップライト型、スティック型等の電気掃除機にも適用できる。
【００９３】
（まとめ）
本発明の電気掃除機は、  吸気口および排気口を有する筐体と、電動送風機と、回路基板と、前記回路基板を保持する基板保持部材とを有する掃除機本体を備え、
前記電動送風機、前記回路基板および前記基板保持部材は前記筐体内に収納され、
前記電動送風機は、モータと、前記モータの出力軸に取り付けられたファンと、前記モータを収納し保持するモータハウジングと、前記ファンを覆うファンカバーと、前記ファンカバーと前記モータハウジングとの間に設けられて前記ファンを収納するエアーガイドとを有し、
前記モータハウジングは前記エアーガイドの半径方向の幅よりも小さい幅を有し、
前記基板保持部材は、前記エアーガイドよりも前記モータの軸心側の前記モータハウジングの外周スペースに配置されていることを特徴とする。
【００９４】
本発明の電気掃除機は次のように構成されてもよい。
（１）前記基板保持部材が前記筐体に固定されてもよい。
このようにすれば、電動送風機の振動が基板保持部を介して回路基板上の電子部品に伝わり難くなる。
【００９５】
（２）前記基板保持部材は、前記軸心方向に平行でかつＬ形で相互に隣接する第１および第２基板保持板部を有し、かつ電動送風機に固定され、  前記回路基板は、前記第１基板保持板部に取り付けられた第１回路基板と、前記第２基板保持板部に取り付けられた第２回路基板とを含んでもよい。
このようにすれば、電動送風機のモータハウジングの外周部に第１および第２回路基板を設置することができるため、筐体内の回路基板２枚分の専用設置スペースを削減するこ
とができ、筐体のより一層の小型軽量化となり、電気掃除機全体のより一層の小型軽量化となる。
【００９６】
（３）前記筐体の内部には、前記吸気口と前記電動送風機とを連通する吸気流路と、前記電動送風機と前記排気口とを連通する排気流路と、前記排気流路に設けられたフィルター部材と、前記排気口に設けられたメッシュ部材とが設けられており、
前記フィルター部材は前記メッシュ部材よりも高い圧力損失を有してもよい。
このようにすれば、電動送風機から排気口に至るまでの間に排気風速を効果的に低下させることができる。これにより、ユーザーに強い排気風を直接当てて不快感を与えるということがない。
【００９７】
（４）前記フィルター部材が、前記排気流路における前記電動送風機側に設けられた第１フィルターと、前記排気流路における前記排気口側に設けられた第２フィルターとを含み、
前記第１フィルターは前記第２フィルターよりも高い圧力損失を有してもよい。
このようにすれば、排気風速をより効果的に低下させることができる。
【００９８】
（５）前記掃除機本体の前記筐体の吸気口に接続される延長パイプと、前記延長パイプに揺動可能に接続される吸込口体とをさらに備え、
前記掃除機本体は、前記筐体内に設けられて前記電動送風機に電力を供給するバッテリーと、前記筐体に設けられたハンドルとをさらに備えたハンディタイプであり、
床面上に前記吸込口体を接地させ、かつ前記延長パイプを床面に対して垂直方向に立てた状態において、前記バッテリーが延長パイプの延長線上に配置されると共に、前記電動送風機が前記バッテリーの後方に配置されることにより自立可能に構成されてもよい。
【００９９】
このようにすれば、掃除機本体に延長パイプを介して吸込口体を取り付けて床面を掃除している最中に、ユーザーが一時的に掃除する場所から離れなければならなくなるといった状況で電気掃除機を自立させておくことができ、便利である。
【０１００】
（６）電気掃除機が、前記掃除機本体に着脱可能に装着されるダストカップユニットと、ロック機構とを備え、
前記掃除機本体は、前記ロック機構を介して前記ダストカップユニットを着脱可能に保持するダストカップ保持部を有し、
前記ダストカップ保持部は、装着された前記ダストカップユニットの端部に引っ掛かって前記ダストカップ保持部からの前記ダストカップユニットの脱落を防止する脱落防止爪を有してもよい。
【０１０１】
このようにすれば、ロック機構のロックが解除される方向の力が不意に電気掃除機に加わっても、掃除機本体からダストカップユニットが脱落することがないため、脱落によってダストカップユニットが破損し、ダストカップユニット内の塵埃やゴミが室内に散乱する、という不具合を防止できる。
【０１０２】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【０１０３】
〔付記事項〕
本発明の一態様に係る発明によれば、吸気口および排気口を有する筐体と、電動送風機と、回路基板と、前記回路基板を保持する基板保持部材とを有する掃除機本体を備え、
前記電動送風機、前記回路基板および前記基板保持部材は前記筐体内に収納され、
前記電動送風機は、モータと、前記モータの出力軸に取り付けられたファンと、前記モータを収納し保持するモータハウジングと、前記ファンを覆うファンカバーと、前記ファンカバーと前記モータハウジングとの間に設けられて前記ファンを収納するエアーガイドとを有し、
前記モータハウジングは前記エアーガイドの半径方向の幅よりも小さい幅を有し、
前記基板保持部材は、前記エアーガイドよりも前記モータの軸心側の前記モータハウジングの外周スペースに配置されている電気掃除機が提供される。
【０１０４】
本発明の一態様に係る発明によれば、掃除機本体の筐体内において、基板保持部材がエアーガイドよりもモータの軸心側のモータハウジングの外周スペースに配置されているため、回路基板を電送送風機の設置スペース内に収めることができる。これにより、筐体内に設けられていた回路基板専用の設置スペースを省略することができ、掃除機本体（筐体）の小型軽量化を図ることができる。
【符号の説明】
【０１０５】
１  電気掃除機
１０  掃除機本体
１１  筐体
１２ａ1  吸気口
１２ｂ2  排気口
１２ｂ11  吸気流路
１８ａ  第１フィルター
１８ｂ  第２フィルター
１８ｃ  メッシュ部材
４１  電動送風機
４１ａ  モータ
４１ｂ  ファン
４１ｃ  モータハウジング
４１ｄ  ファンカバー
４１ｅ  エアーガイド
４２  回路基板
４４、１４４  基板保持部材
１４２ａ  第１回路基板
１４２ｂ  第２回路基板
１４４ａ  第１基板保持部
１４４ｂ  第２基板保持板部
Ｐ  軸心
【図１】
2019069297.tif 000003
【図２】
2019069297.tif 000004
【図３】
2019069297.tif 000005
【図４】
2019069297.tif 000006
【図５】
2019069297.tif 000007
【図６】
2019069297.tif 000008
【図７】
2019069297.tif 000009
【図８】
2019069297.tif 000010
【図９】
2019069297.tif 000011
【図１０】
2019069297.tif 000012
【図１１】
2019069297.tif 000013
【図１２】
2019069297.tif 000014
【図１３】
2019069297.tif 000015
【図１４】
2019069297.tif 000016
【図１５】
2019069297.tif 000017
【図１６】
2019069297.tif 000018
【図１７】
2019069297.tif 000019
【図１８】
2019069297.tif 000020
【図１９】
2019069297.tif 000021
【図２０】
2019069297.tif 000022
【図２１】
2019069297.tif 000023
【図２２】
2019069297.tif 000024
【図２３】
2019069297.tif 000025